(57)【要約】【課題】第三者によって開閉ゲートが閉操作されることを防止する。【解決手段】本制御システム１０は、制御キー２０の入力の有無を識別するキー識別手段１２と、キー識別手段１２により識別される制御キー２０の入力の有無に応じて、少なくとも立体駐車装置３０の開閉ゲート３４の閉動作を抑止するシステム制御部１８とを含んでいる。このため、例えば、所望の可動式パレット３２の呼び出し操作を行った使用者が、操作盤３６を離れる前の段階で、使用者自身がキー識別手段１２から制御キー２０を取り出すように促すと共に、制御キー２０の入力が無い場合に開閉ゲート３４の閉動作を抑止することにより、使用者が操作盤３６から離れて立体駐車装置３０内に留まっている間に、第三者によって開閉ゲート３４が閉操作されることを防止することが可能となる。【選択図】図１
2020012371.tif 000002
【特許請求の範囲】
【請求項１】
複数の可動式パレットと、開閉ゲートと、該開閉ゲートの開閉操作及び前記可動式パレットの呼び出し操作を行うための操作盤とを備えた立体駐車装置の制御システムであって、
制御キーの入力の有無を識別するキー識別手段と、システム制御部とを含み、
前記システム制御部は、前記キー識別手段による前記制御キーの入力の有無に応じて、少なくとも前記開閉ゲートの閉動作を抑止するものであり、
前記操作盤に組み込まれた表示部及び操作部を備え、
前記制御キーが、前記可動式パレットの呼び出し操作の都度、前記キー識別手段により暗証符号として発行される論理的キーであり、
前記システム制御部は、前記論理的キーが発行されてから前記開閉ゲートが開くまでの間における、少なくとも一部期間において、前記論理的キーを前記キー識別手段から前記表示部へ出力させて表示させ、前記操作部を介して、表示させた論理的キーと一致する論理的キーの論理的入力が行われるまで、前記開閉ゲートの閉動作を抑止することを特徴とする立体駐車装置の制御システム。
【請求項２】
請求項１記載の立体駐車装置の制御システムを備えた立体駐車装置であって、
装置を制御する装置制御部を含み、前記システム制御部と前記キー識別手段とが、前記装置制御部に組み込まれていることを特徴とする立体駐車装置。
【請求項３】
複数の可動式パレットと、開閉ゲートと、該開閉ゲートの開閉操作及び前記可動式パレットの呼び出し操作を行うための操作盤とを備えた立体駐車装置の制御方法であって、
制御キーの入力の有無を識別するキー識別手段を設置し、
該キー識別手段による前記制御キーの入力の有無に応じて、少なくとも前記開閉ゲートの閉動作を抑止し、
前記制御キーとして、前記可動式パレットの呼び出し操作の都度、前記キー識別手段により暗証符号としての論理的キーを発行し、
該論理的キーを発行してから前記開閉ゲートが開くまでの間における、少なくとも一部期間において、前記論理的キーを前記キー識別手段から前記操作盤が有する表示部へ出力して表示し、前記操作盤が有する操作部を介して、表示した論理的キーと一致する論理的キーの論理的入力が行われるまで、前記開閉ゲートの閉動作を抑止することを特徴とする立体駐車装置の制御方法。
【発明の詳細な説明】
【技術分野】
【０００１】
本発明は、立体駐車装置の制御システム、この制御システムを備える立体駐車装置、及び、立体駐車装置の制御方法に関するものである。
【背景技術】
【０００２】
例えば、非特許文献１に記載されているような、複数の可動式パレットを備える立体駐車装置は、操作盤に対する使用者の操作に応じて、可動式パレットの移動、前面に設置された開閉ゲートの開扉、開閉ゲートの閉扉等を行うものである。すなわち、使用者が所望する可動式パレットを、車両の入出庫が可能な位置まで移動させた後、開閉ゲートを開き、使用者が車両の入庫又は出庫を行った後に、開閉ゲートを閉じる、といった一連の動作が、使用者の操作に基づいて実行される。
【先行技術文献】
【非特許文献】
【０００３】
【非特許文献１】「東京ネオ・トーパーク  地上４・３段方式（昇降横行式）駐車装置  ＴＰＪｅ型」、東京エンジニアリングシステムズ株式会社、ｐ．１−４
【発明の概要】
【発明が解決しようとする課題】
【０００４】
ところで、上述した立体駐車装置では、可動式パレットを呼び出した使用者が、操作盤から離れて装置内に入り、車両に対して乗降車や荷物の出し入れ等を行っている間に、別の使用者が操作盤を操作することで、開閉ゲートが閉じられてしまうことを防止する必要がある。特に、電動モータを動力源に含む車両のために、充電設備を備える立体駐車装置等では、使用者が装置内に入った状態で、充電設備の操作やケーブルの抜き差し等を行うため、使用者が操作盤から離れる時間が長く、上記の要請がより一層大きくなる。
本発明は上記課題に鑑みてなされたものであり、その目的とするところは、第三者によって開閉ゲートが閉操作されることを防止することにある。
【課題を解決するための手段】
【０００５】
（発明の態様）
以下の発明の態様は、本発明の構成を例示するものであり、本発明の多様な構成の理解を容易にするために、項別けして説明するものである。各項は、本発明の技術的範囲を限定するものではない。そのため、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）複数の可動式パレットと、開閉ゲートと、該開閉ゲートの開閉操作及び前記可動式パレットの呼び出し操作を行うための操作盤とを備えた立体駐車装置の制御システムであって、制御キーの入力の有無を識別するキー識別手段と、システム制御部とを含み、前記システム制御部は、前記キー識別手段による前記制御キーの入力の有無に応じて、少なくとも前記開閉ゲートの閉動作を抑止するものである立体駐車装置の制御システム。
【０００７】
本項に記載の立体駐車装置の制御システムは、キー識別手段とシステム制御部とを含んでおり、キー識別手段は、制御キーの入力の有無を識別するものである。すなわち、キー識別手段は、それ自体に対して、制御キーが入力された状態か否かを識別する。ここで、制御キーは、キー識別手段に対して制御入力が、物理的に入力される物理的キーであってもよく、或いは、論理的に入力される論理的キーであってもよい。又、システム制御部は、キー識別手段により識別される制御キーの入力の有無に応じて、少なくとも立体駐車装置の開閉ゲートの閉動作を抑止するものである。このため、例えば、所望の可動式パレットの呼び出し操作を行った使用者が、操作盤を離れる前の段階で、使用者自身がキー識別手段から制御キーを（物理的又は論理的に）取り出すように促すと共に、制御キーの入力が無い場合に開閉ゲートの閉動作を抑止する。これにより、使用者が操作盤から離れている間、キー識別手段から制御キーが取り出された状態となるため、キー識別手段は制御キーの入力が無いと識別し、これに応じてシステム制御部が開閉ゲートの閉動作を抑止する。従って、使用者が操作盤から離れて立体駐車装置内に留まっている間に、第三者が操作盤に対して開閉ゲートの閉操作を行ったとしても、システム制御部により開閉ゲートの閉動作が抑止される。-この際、開閉ゲートの閉操作そのものを受け付けないようにすることで、開閉ゲートの閉動作を抑止してもよい。このため、使用者が立体駐車装置内で、車に対する乗降車、荷物の出し入れ、車両のバッテリへの充電作業等を行う場合であっても、第三者によって開閉ゲートが閉操作されることが防止されるものとなる。
【０００８】
（２）上記（１）項において、前記制御キーが、前記キー識別手段に対して物理的に入出力されると共に、前記キー識別手段により認識される固有の識別パターン部を備えた物理的キーであり、前記キー識別手段は、認識可能な識別パターン部を有する前記物理的キーの物理的入力の有無を示す挿抜識別信号を、前記システム制御部に対して出力し、前記システム制御部は、前記キー識別手段から取得する前記挿抜識別信号に基づいて、前記キー識別手段から前記物理的キーの物理的入力が喪失されたと判定するまで、前記開閉ゲートの開動作を抑止すると共に、前記キー識別手段に対して前記物理的キーが物理的に入力されたと判定するまで、前記開閉ゲートの閉動作を抑止する立体駐車装置の制御システム。
【０００９】
本項に記載の立体駐車装置の制御システムは、制御キーが、キー識別手段に対して物理的に入出力されるタブ状、鍵状、カード状等の物理的キーであり、更に、物理的キーが、キー識別手段により認識される固有の識別パターン部を備えているものである。物理的キーの識別パターン部は、キー識別手段に対応した正規の物理的キーであることを示す情報を有するものであり、例えば、タブや鍵に設けられた凹凸パターン、カードに組み込まれたＩＣチップや磁気ストライプ等、状況に応じて適切なものが利用される。又、キー識別手段は、認識可能な識別パターン部を有する物理的キーの物理的入力の有無を示す挿抜識別信号を、システム制御部に対して出力する。すなわち、キー識別手段は、物理的に入力された物理的キーの識別パターン部から情報を読み取り、読み取った情報がキー識別手段に対応した正規の物理的キーであることを示す場合のみ、物理的キーが物理的に入力されていることを示す挿抜識別信号を出力する。一方、キー識別手段は、物理的キーが物理的に入力されていない場合、物理的キーから識別パターン部の情報が読み取れない場合、識別パターン部の情報が正規の物理的キーであることを示すものではない場合等に、物理的キーが物理的に入力されていないことを示す挿抜識別信号を出力する。
【００１０】
又、システム制御部は、上記の如くキー識別手段から出力される挿抜識別信号を取得し、取得した挿抜識別信号に基づいて、キー識別手段に対する物理的キーの物理的な入力の有無を判定する。そして、システム制御部は、そのような判定方法を利用して、キー識別手段から物理的キーの物理的入力が喪失された（入力されていない）と判定するまで、開閉ゲートの開動作を抑止する。従って、開閉ゲートを開くためには、キー識別手段から物理的キーを物理的に取り出し、物理的キーの物理的入力が喪失されたことをキー識別手段に認識させる必要がある。このため、開閉ゲートが開いて使用者が立体駐車装置内へ入る前に、半ば強制的に使用者に対して物理的キーを所持させることとなる。更に、システム制御部は、キー識別手段に対して物理的キーが物理的に入力されたと判定するまで、開閉ゲートの閉動作を抑止する。従って、開閉ゲートを閉じるためには、キー識別手段に対して物理的キーを物理的に入力し（装着し）、物理的キーが物理的に入力されたことをキー識別手段に認識させる必要がある。このため、物理的キーを所持している使用者が立体駐車装置内に残っている間に、物理的キーを所持していない第三者によって、開閉ゲートが閉操作されることが、より確実に防止されるものとなる。
【００１１】
（３）上記（２）項において、前記立体駐車装置は、前記開閉ゲートの開閉操作及び前記可動式パレットの呼び出し操作が、前記操作盤に対する、認証済みの使用者による電源投入操作から電源切断操作までの間に行われ、前記キー識別手段は、認識可能な識別パターン部を有する前記物理的キーの物理的入力の有無を検知すると共に、該検知結果に基づいて前記挿抜識別信号を出力するキー挿抜検知手段と、前記物理的キーの物理的入力の喪失を防止するようにロックを施すキーロック機構とを備え、前記システム制御部は、前記電源投入操作の直後と前記可動式パレットの呼び出し操作の直後と前記開閉ゲートの開動作の直前との何れかのタイミングで、前記キーロック機構のロックを解除し、前記開閉ゲートの閉操作の直後或いは前記電源切断操作の直後の何れかのタイミングで、前記キーロック機構のロックを施す立体駐車装置の制御システム。
【００１２】
本項に記載の立体駐車装置の制御システムは、キー識別手段が、キー挿抜検知手段とキーロック機構とを備えるものである。キー挿抜検知手段は、認識可能な識別パターン部を有する物理的キーの物理的入力の有無、すなわち、正規の物理的キーであることを示す識別パターン部を有する物理的キーが、物理的に入力されているか否かを検知する。そして、キー挿抜検知手段は、その検知結果に基づいて、物理的キーが物理的に入力されているか否かを示す挿抜識別信号を出力する。一方、キーロック機構は、物理的キーによるキー識別手段に対しての物理的入力が喪失されることを防止するように、ロックを施すものである。又、キーロック機構は、例えばシステム制御部から制御信号を受信することで、システム制御部によりロックの動作が制御される。そして、システム制御部は、電源投入操作の直後と可動式パレットの呼び出し操作の直後と開閉ゲートの開動作の直前との何れかのタイミングで、キーロック機構のロックを解除し、開閉ゲートの閉操作の直後或いは電源切断操作の直後の何れかのタイミングで、キーロック機構のロックを有効にする。
【００１３】
ここで、本項に記載の立体駐車装置の制御システムが適用される立体駐車装置では、操作盤に対する電源投入操作が、例えば、立体駐車装置の使用者のみが所有する電源キー等を用いて行われることで、立体駐車装置の正規の使用者であることが認証された状態で行われる。従って、キーロック機構による物理的キーのロックは、立体駐車装置の使用者であることが認証された後で、解除されることになる。更に、開閉ゲートの閉操作や電源切断操作は、車両の入出庫等を終えた使用者が、開閉ゲートを閉じるために行う必要のある、キー識別手段に対する物理的キーの物理的な入力がなされた状態で、行われるものである。従って、キーロック機構による物理的キーのロックは、使用者による車両の入出庫等が終了した後に、施されることになる。これにより、使用者が物理的キーを所持した状態で車両の入出庫等を行っている期間を除き、キーロック機構によって物理的キーのロックが施されるため、立体駐車装置の使用者以外の人物が、キー識別手段から物理的キーを取り出すことが防止されるものである。
【００１４】
（４）上記（２）（３）項において、前記キー識別手段が、前記物理的キーの半抜け防止手段を備える立体駐車装置の制御システム。
本項に記載の立体駐車装置の制御システムは、キー識別手段が物理的キーの半抜け防止手段を備えることで、物理的キーが半抜けの状態でキー識別手段に残されることが防止されるため、操作盤から離れて車両の入出庫等を行う使用者に対して、物理的キーの所持をより確実に促すものとなる。
【００１５】
（５）上記（２）〜（４）項のいずれか１項記載の立体駐車装置の制御システムを備えた立体駐車装置であって、装置を制御する装置制御部を含み、前記システム制御部が前記装置制御部に組み込まれている立体駐車装置。
本項に記載の立体駐車装置は、当該立体駐車装置を制御する装置制御部を含んでおり、制御システムのシステム制御部が装置制御部に組み込まれているものである。これにより、制御システムと立体駐車装置との双方の制御を、装置制御部から一括して行うものとなる。このため、設備の省スペース化が図られると共に、制御システムと立体駐車装置との双方に関わる制御や動作を、円滑に行うものとなる。
【００１６】
（６）上記（１）項において、前記操作盤に組み込まれた表示部及び操作部を備え、前記制御キーが、前記可動式パレットの呼び出し操作の都度、前記キー識別手段により暗証符号として発行される論理的キーであり、前記システム制御部は、前記論理的キーが発行されてから前記開閉ゲートが開くまでの間における、少なくとも一部期間において、前記論理的キーを前記キー識別手段から前記表示部へ出力させて表示させ、前記操作部を介して、表示させた論理的キーと一致する論理的キーの論理的入力が行われるまで、前記開閉ゲートの閉動作を抑止する立体駐車装置の制御システム（請求項１）。
【００１７】
本項に記載の立体駐車装置の制御システムは、立体駐車装置の操作盤に組み込まれた表示部及び操作部を備えており、制御キーが、可動式パレットの呼び出し操作の都度、キー識別手段により暗証符号として発行される論理的キーであるものである。すなわち、論理的キーは、キー識別手段に対して論理的に入出力されるものであり、例えば数字等を含む暗証符号として発行される。そして、システム制御部は、論理的キーが発行されてから開閉ゲートが開くまでの間における、少なくとも一部期間において、論理的キーをキー識別手段から表示部へ出力させて表示させる。すなわち、所望の可動式パレットの呼び出し操作を行った使用者が、開閉ゲートが開かれたことで操作盤から離れる前に、操作盤に組み込まれた表示部へ論理的キーを表示することで、使用者に対して論理的キーの記憶やメモを促すものである。その後、システム制御部は、キー識別手段から表示部への論理的キーの出力によって、論理的キーが論理的に出力されたものと判断して、開閉ゲートの閉動作を抑止する。そして、操作盤に組み込まれた操作部を介して、表示部へ表示した論理的キーと一致する正しい論理的キーの論理的入力が行われるまで、開閉ゲートの閉動作を抑止するものである。すなわち、可動式パレットの呼び出し操作を行った使用者のみが知り得る、正しい論理的キーの入力が行われるまで、開閉ゲートの閉動作が抑止される。このため、論理的キーを把握している使用者が立体駐車装置内に残っている間に、正しい論理的キーを知り得ない第三者の操作によって、開閉ゲートが閉じられることはない。これにより、第三者による開閉ゲートの閉操作が、より確実に防止されるものとなる。
【００１８】
（７）上記（１）項において、前記操作盤に組み込まれた操作部を備え、前記制御キーが、前記可動式パレットの呼び出し操作の都度、前記操作部を介して、使用者により前記キー識別手段に対して暗証符号として設定される論理的キーであり、前記システム制御部は、前記操作部を介して、使用者により設定された論理的キーと一致する論理的キーの論理的入力が行われるまで、前記開閉ゲートの閉動作を抑止する立体駐車装置の制御システム。
【００１９】
本項に記載の立体駐車装置の制御システムは、立体駐車装置の操作盤に組み込まれた操作部を備えており、制御キーが、可動式パレットの呼び出し操作の都度、操作部を介して、使用者によりキー識別手段に対して暗証符号として設定される論理的キーであるものである。すなわち、論理的キーは、キー識別手段に対して論理的に入力されるものであり、例えば数字等を含む暗証符号として設定される。そして、システム制御部は、操作盤に組み込まれた操作部を介して、使用者により設定された論理的キーと一致する正しい論理的キーの論理的入力が行われるまで、開閉ゲートの閉動作を抑止するものである。すなわち、論理的キーの設定を行った使用者のみが知り得る、正しい論理的キーの入力が行われるまで、開閉ゲートの閉動作が抑止される。このため、論理的キーを把握している使用者が立体駐車装置内に残っている間に、正しい論理的キーを知り得ない第三者の操作によって、開閉ゲートが閉じられることはない。これにより、第三者による開閉ゲートの閉操作が、より確実に防止されるものとなる。
【００２０】
（８）上記（６）項の立体駐車装置の制御システムを備えた立体駐車装置であって、装置を制御する装置制御部を含み、前記システム制御部と前記キー識別手段とが、前記装置制御部に組み込まれている立体駐車装置（請求項２）。
本項に記載の立体駐車装置は、当該立体駐車装置を制御する装置制御部を含んでおり、制御システムのシステム制御部及びキー識別手段が、装置制御部に組み込まれているものである。これにより、制御システムと立体駐車装置との双方の制御や、論理的キーの発行及び識別等を、装置制御部から一括して行うものとなる。このため、設備の省スペース化が図られると共に、制御システムと立体駐車装置との双方に関わる制御や動作を、円滑に行うものとなる。
【００２１】
（９）複数の可動式パレットと、開閉ゲートと、該開閉ゲートの開閉操作及び前記可動式パレットの呼び出し操作を行うための操作盤とを備えた立体駐車装置の制御方法であって、制御キーの入力の有無を識別するキー識別手段を設置し、該キー識別手段による前記制御キーの入力の有無に応じて、少なくとも前記開閉ゲートの閉動作を抑止する立体駐車装置の制御方法。
【００２２】
（１０）上記（９）項において、前記制御キーとして、前記キー識別手段に対して物理的に入出力されると共に、前記キー識別手段により認識される固有の識別パターン部を備えた物理的キーを用い、前記キー識別手段から、認識可能な識別パターン部を有する前記物理的キーの物理的入力の有無を示す挿抜識別信号を出力し、該挿抜識別信号に基づいて、前記キー識別手段から前記物理的キーの物理的入力が喪失されたと判定するまで、前記開閉ゲートの開動作を抑止すると共に、前記キー識別手段に対して前記物理的キーが物理的に入力されたと判定するまで、前記開閉ゲートの閉動作を抑止する立体駐車装置の制御方法。
【００２３】
（１１）上記（１０）項において、前記立体駐車装置は、前記開閉ゲートの開閉操作及び前記可動式パレットの呼び出し操作を、前記操作盤に対する、認証済みの使用者による電源投入操作から電源切断操作までの間に受けるものであり、前記キー識別手段に、認識可能な識別パターン部を有する前記物理的キーの物理的入力の有無を検知すると共に、該検知結果に基づいて前記挿抜識別信号を出力するキー挿抜検知手段と、前記物理的キーの物理的入力の喪失を防止するようにロックを施すキーロック機構とを設け、前記電源投入操作の直後と前記可動式パレットの呼び出し操作の直後と前記開閉ゲートの開動作の直前との何れかのタイミングで、前記キーロック機構のロックを解除し、前記開閉ゲートの閉操作の直後或いは前記電源切断操作の直後の何れかのタイミングで、前記キーロック機構のロックを施す立体駐車装置の制御方法。
（１２）上記（１０）（１１）項において、前記キー識別手段に、前記物理的キーの半抜け防止手段を設ける立体駐車装置の制御方法。
【００２４】
（１３）上記（９）項において、前記制御キーとして、前記可動式パレットの呼び出し操作の都度、前記キー識別手段により暗証符号としての論理的キーを発行し、該論理的キーを発行してから前記開閉ゲートが開くまでの間における、少なくとも一部期間において、前記論理的キーを前記キー識別手段から前記操作盤が有する表示部へ出力して表示し、前記操作盤が有する操作部を介して、表示した論理的キーと一致する論理的キーの論理的入力が行われるまで、前記開閉ゲートの閉動作を抑止する立体駐車装置の制御方法（請求項３）。
（１４）上記（９）項において、前記制御キーとして、前記可動式パレットの呼び出し操作の都度、前記操作盤が有する操作部を介して、使用者により前記キー識別手段に対して暗証符号としての論理的キーを設定し、前記操作盤が有する操作部を介して、使用者により設定した論理的キーと一致する論理的キーの論理的入力が行われるまで、前記開閉ゲートの閉動作を抑止する立体駐車装置の制御方法。
【００２５】
そして、（９）〜（１４）項の立体駐車装置の制御方法は、各々、上記（１）〜（４）、（６）及び（７）項に記載の立体駐車装置の制御システムを用いて実行されることで、上記（１）〜（４）、（６）及び（７）項の立体駐車装置の制御システムに対応する同等の作用を奏するものである。
【発明の効果】
【００２６】
本発明はこのように構成したので、第三者によって開閉ゲートが閉操作されることを防止することが可能となる。
【図面の簡単な説明】
【００２７】
【図１】本発明の第１の実施の形態に係る立体駐車装置の制御システムと、この制御システムを備えた立体駐車装置との構成を、概略的に示すブロック図である。
【図２】本発明の第１の実施の形態に係る立体駐車装置の制御システムを備えた立体駐車装置を示す斜視図である。
【図３】キー識別手段単体の三面図である。
【図４】本発明の第１の実施の形態に係る立体駐車装置の制御システムを利用した制御方法の一例を示すフロー図である。
【図５】本発明の第２の実施の形態に係る立体駐車装置の制御システムと、この制御システムを備えた立体駐車装置との構成を、概略的に示すブロック図である。
【図６】本発明の第２の実施の形態に係る立体駐車装置の制御システムを利用した制御方法の一例を示すフロー図である。
【発明を実施するための形態】
【００２８】
以下、本発明の実施の形態を図面に基づき説明する。ここで、図面の全体にわたって、同一部分は同一符号で示している。又、従来技術と同一部分、若しくは相当する部分については、詳しい説明を省略する。
図１は、本発明の第１の実施の形態に係る立体駐車装置の制御システム１０と、この制御システム１０を備えた立体駐車装置３０との構成の一例を示している。なお、図１において、二点鎖線で囲まれた部位が、立体駐車装置の制御システム１０に含まれる部位である。又、図２は、立体駐車装置の制御システム１０を備えた立体駐車装置３０の構造の一例を示している。
【００２９】
まず、図１、図２を参照して、立体駐車装置３０について概略的に説明すると、立体駐車装置３０は、複数の支柱と複数の梁とによって構成された略矩形の構造体に、複数の可動式パレット３２（３２ａ〜３２ｉ）が移動可能に支持された構造である。図２の例では、立体駐車装置３０は、地上４段３連基（図２中上下方向に４段、左右方向に３列）の構造であり、複数の可動式パレット３２として、９基の可動式パレット３２ａ〜３２ｉを備えている。更に、立体駐車装置３０は、開閉ゲート３４、操作盤３６、装置制御部３８、駆動部４０を備えている。
【００３０】
複数の可動式パレット３２ａ〜３２ｉのうち、３２ｂ、３２ｃは、車両を入出庫する高さ位置で横行移動のみ行い、３２ｄ〜３２ｇは、立体駐車装置３０の使用者による呼び出し操作に応じて、車両を入出庫可能な位置（図２において、可動式パレット３２ａ〜３２ｃがある位置）まで、高さ方向及び並列方向に移動可能なものである。一方、可動式パレット３２ａ、３２ｈ、３２ｉは、昇降のみ行うものである。又、開閉ゲート３４は、所望の可動式パレット３２が呼び出された後に開かれ、車両の入出庫が終わった後に、使用者の操作により閉じられるものであり、図２の例では、支柱レール４６ａ、４６ｂにより、上下方向に移動可能に案内支持されている。操作盤３６は、立体駐車装置３０の各操作を行うための入力が行われるものであり、例えばタッチパネル方式で、開閉ゲート３４の開閉操作や、可動式パレット３２の呼び出し操作等が入力される。又、装置制御部３８は、立体駐車装置３０全体の制御を担うものであり、例えば、操作盤３６に入力された操作に応じて、駆動部４０を介して、可動式パレット３２の移動や開閉ゲート３４の開閉動作を行わせるものである。駆動部４０は、装置制御部３８による制御に応じて、可動式パレット３２の移動や開閉ゲート３４の開閉動作を行うための動力を発生、伝達するものである。
【００３１】
又、立体駐車装置３０は、車両を入出庫する高さにある各可動式パレット３２の周辺の物体を検知するための、複数のセンサ４８を含んでいる。図２の例では、車両を入出庫する高さにある３基の可動式パレット３２ａ〜３２ｃの周辺に、複数のセンサ４８として、各々が投光部と受光部との組から成る複数の光電センサが設置されている。より詳しくは、開閉ゲート３４の前面側、開閉ゲート３４の後面側、可動式パレット３２ａ〜３２ｃの後部側、及び、可動式パレット３２ａ〜３２ｃの各々の側部を検知するようにして、複数のセンサ４８が設置されている。
【００３２】
続いて、本発明の第１の実施の形態に係る立体駐車装置の制御システム１０について説明する。図１に示すように、立体駐車装置の制御システム１０は、キー識別手段１２と、システム制御部１８とを含んでいる。キー識別手段１２は、図２で確認できるように、立体駐車装置３０の操作盤３６の近傍に設置され、例えば、図３に示すような箱形状を有している。又、キー識別手段１２は、キー識別手段１２により挿抜可能に保持される制御キー２０（物理的キー２０Ａ）、キー挿抜検知手段２４、キーロック機構２６、及び、半抜け防止手段２８を備えている。物理的キー２０Ａは、図３の例では、一端に識別パターン部２２（詳しくは後述する）を具備するタブ状のものであり、識別パターン部２２側を先端にして、キー識別手段１２へ挿入される。なお、物理的キー２０Ａは、タブ状に限定されるものではなく、識別パターン部２２を有し、キー識別手段１２に対して物理的に入力可能なものであれば、例えば、鍵状やカード状のものであってもよい。物理的キー２０Ａが鍵状である場合は、物理的キー２０Ａを挿入した後に回転させることで、キー識別手段１２に対して挿入し、物理的キー２０Ａを回転させた後に抜き出すことで、キー識別手段１２から抜き出すような仕様であってもよい。
【００３３】
キー挿抜検知手段２４は、キー識別手段１２に対して、正規の識別パターン部２２を有する物理的キー２０Ａが挿入された状態であるか否かを検知するものである。すなわち、図３の例において、キー挿抜検知手段２４は、先端がキー挿抜検知手段２４まで達する適切な形状の物体が、キー識別手段１２に対して挿入されたことを検知すると共に、その物体の先端に正規の識別パターン部２２が設けられているか否かを検知する。そして、キー挿抜検知手段２４は、それらの検知結果に基づいて、正規の識別パターン部２２を有する物理的キー２０Ａが挿入されたか否かを示す挿抜識別信号を、システム制御部１８に対して出力する。従って、識別パターン部２２は、それを備えた物理的キー２０Ａが、キー識別手段１２に対応した正規の物理的キー２０Ａであることを示す情報を有するものであり、そのような情報が、凹凸等の形状変化や磁気的データ等の形式で付与されているものである。このため、キー挿抜検知手段２４には、物理的キー２０Ａの識別パターン部２２が有する情報の形式に対応し、その情報を読み取ることが可能な、適切なものが用いられる。
【００３４】
キーロック機構２６は、キー識別手段１２に対して挿入された状態の物理的キー２０Ａが、キー識別手段１２から取り出されないように、ロックを施すものである。図３の例では、物理的キー２０Ａに設けられた貫通孔２０ｃに対して、キーロック機構２６の可動部２６ａが挿通された状態（図３（ｃ）の状態）になることで、ロックが施され、可動部２６ａが図３（ｃ）中の下方へ没した退避状態になることで、ロックが解除される。又、キーロック機構２６は、システム制御部１８から受信する挿抜許可信号に基づいて、物理的キー２０Ａのロック及びロック解除を行う。例えば、挿抜許可信号がアクティブである場合は、物理的キー２０Ａのロックを解除し、挿抜許可信号がインアクティブである場合は、物理的キー２０Ａのロックを有効にする。
【００３５】
一方、図３での図示は省略しているが、半抜け防止手段２８は、物理的キー２０Ａが、半抜けの状態でキー識別手段１２に保持されることを防止するものである。例えば、半抜け防止手段２８として、物理的キー２０Ａが半抜けの状態であることを検知するセンサを設置してもよく、或いは、物理的キー２０Ａが半抜けの状態で保持されることを、物理的に防止するような機構を設けてもよい。
【００３６】
又、システム制御部１８は、立体駐車装置の制御システム１０の制御を担うものであり、本実施の形態では、立体駐車装置３０の装置制御部３８に組み込まれている。システム制御部１８が行う制御内容について詳しくは後述するが、例えばシステム制御部１８は、キー識別手段１２のキー挿抜検知手段２４から取得する挿抜識別信号に基づいて、立体駐車装置３０の開閉ゲート３４の閉動作を抑止し、又、立体駐車装置３０の操作盤３６に対する各操作のタイミングに応じて、キーロック機構２６による物理的キー２０のロック動作の制御、すなわち、キーロック機構２６に対する挿抜許可信号のアクティブ／インアクティブの切り替え等を行う。
【００３７】
次に、図４に示すフロー図の流れに沿って、上述した本発明の第１の実施の形態に係る立体駐車装置の制御システム１０を利用した、立体駐車装置の制御方法について説明する。なお、図４では、実線で囲まれたステップが立体駐車装置３０の使用者が行うステップを示し、破線で囲まれたステップが立体駐車装置３０の動作ステップを示し、一点鎖線で囲まれたステップが制御システム１０の処理ステップを示している。又、立体駐車装置３０及び制御システム１０の構成については、適宜、図１〜図３を参照のこと。
【００３８】
Ｓ１０（電源投入操作）：制御システム１０が設置された立体駐車装置３０の操作を開始するための、電源投入操作を行う。この操作は、立体駐車装置３０の使用者により、例えば、立体駐車装置３０の使用者に予め貸与された電源キーを、操作盤３６に対して挿入し、電源キーを電源投入の位置まで回転することによって実行される。すなわち、電源キーを利用した電源投入操作は、電源キーが貸与された立体駐車装置３０の正規の使用者によってのみ実行される。
Ｓ２０（物理的キーロック解除）：システム制御部１８により、キー識別手段１２のキーロック機構２６による物理的キー２０Ａのロックを解除する。すなわち、システム制御部１８からキーロック機構２６へ送信する挿抜許可信号を、アクティブの状態にすることで、キーロック機構２６の可動部２６ａを退避状態にさせ、キー識別手段１２から物理的キー２０Ａを抜き出し可能な状態にする。なお、物理的キー２０Ａのロックを解除するタイミングは、後述するＳ５０の直後或いはＳ８０の直前であってもよい。
【００３９】
Ｓ３０（物理的キー抜き出し）：上記Ｓ２０において、物理的キー２０Ａのロックが解除され、物理的キー２０Ａの抜き出しが可能な状態になっているため、立体駐車装置３０の使用者により、キー識別手段１２から物理的キー２０Ａを抜き出す。この際、例えば、操作盤３６に設けられた表示部等に、物理的キー２０Ａを抜き出すことを促すようなメッセージを表示してもよい。本ステップにおいて、使用者によって抜き出された物理的キー２０Ａは、使用者により保持されることとなる。なお、物理的キー２０Ａを抜き出すタイミングは、物理的キー２０Ａのロックが解除された後であれば、後述するＳ４０の直後やＳ５０の直後、或いはＳ８０の直前であってもよい。
【００４０】
Ｓ４０（パレット番号入力）：立体駐車装置３０の使用者により、操作盤３６に対して、使用者が所望する可動式パレット３２のパレット番号を入力する。なお、このパレット番号の入力操作は、例えば、使用者に貸与する電源キーに使用者が所望する可動式パレット３２の情報を保持させ、その情報を上記Ｓ１０の電源投入操作の時点で装置制御部３８に認識させることで、省略することも可能である。この場合の電源キーには、例えば、データの記憶が可能なＩＣカード等が用いられる。以降の説明では、便宜上、本ステップでパレット番号が入力された所望の可動式パレット３２を、可動式パレット３２ｘとして説明する。
【００４１】
Ｓ５０（運転操作）：立体駐車装置３０の使用者により、操作盤３６に対して、可動式パレット３２ｘの呼び出し動作、及び、それに続く開閉ゲート３４の開動作を実行させるための運転操作を入力する。
Ｓ６０（入力パレットの位置判定）：システム制御部１８により、可動式パレット３２ｘが、車両を入出庫可能な位置（図２における可動式パレット３２ａ〜３２ｃがある位置）にあるか否かを判定する。そして、可動式パレット３２ｘが、車両を入出庫可能な位置にあると判定した場合（ＹＥＳ）は、Ｓ８０へ移行し、車両を入出庫可能な位置にないと判定した場合（ＮＯ）は、Ｓ７０へ移行する。
Ｓ７０（パレット移動）：装置制御部３８により駆動部４０を制御して、可動式パレット３２ｘを、車両を入出庫可能な位置まで移動する。なお、従来の立体駐車装置と同様の制御となるため、詳しい説明は省略する。
【００４２】
Ｓ８０（物理的キーの挿抜判定）：システム制御部１８により、キー識別手段１２から物理的キー２０Ａが抜き出されているか否かを判定する。すなわち、キー挿抜検知手段２４により、キー識別手段１２に対して認識可能な識別パターン部２２を有する物理的キー２０Ａが挿入された状態であるか否かを検知し、その検知結果を挿抜識別信号としてシステム制御部１８へ送信する。そして、システム制御部１８により、キー挿抜検知手段２４から受信する挿抜識別信号が、物理的キー２０Ａが挿入されていることを示す場合は、キー識別手段１２に対して物理的キー２０Ａが挿入されていると判定し、物理的キー２０Ａが挿入されていないことを示す場合は、キー識別手段１２から物理的キー２０Ａが抜き出されていると判定する。その結果、物理的キー２０Ａが挿入されていると判定した場合（ＮＯ）は、キー識別手段１２から物理的キー２０Ａが抜き出されるまで、本処理ステップで待機する状態となり、物理的キー２０Ａが抜き出されていると判定した場合（ＹＥＳ）は、Ｓ９０へ移行する。
【００４３】
Ｓ９０（開閉ゲート開動作）：装置制御部３８により駆動部４０を制御して、開閉ゲート３４を上昇させ、開閉ゲート３４を開扉状態にする。
Ｓ１００（「装置内侵入中」表示）：可動式パレットの呼び出し操作を行った使用者が、車両の入出庫等を行うために立体駐車装置３０内に侵入するため、装置制御部３８によって、例えば、操作盤３６の表示部や、それとは別に設けた表示盤等に、使用者が立体駐車装置３０内へ侵入していることを表示する。
Ｓ１１０（車両の入出庫）：立体駐車装置３０の使用者により、車両を入出庫できる状態にある可動式パレット３２ｘに対して、車両を入出庫する。
【００４４】
Ｓ１２０（物体検知判定）：立体駐車装置３０の複数のセンサ４８の中で、物体を検知中のセンサ４８があるか否かを判定する。具体的には、システム制御部１８により、複数のセンサ４８の各々の検知状態を把握し、判定を行う。そして、物体を検知中のセンサ４８があると判定した場合（ＹＥＳ）には、Ｓ１３０へ移行し、物体を検知中のセンサ４８がないと判定した場合（ＮＯ）には、Ｓ１４０へ移行する。
Ｓ１３０（物体検知時の処理実行）：装置制御部３８により、物体を検知しているセンサ４８がある場合に実行すべき、所定の処理を実行する。例えば、複数のセンサ４８の各々の検知状態に基づいて物体を検知中のセンサ４８を特定し、特定したセンサ４８を操作盤３６の表示部へ表示する。
【００４５】
Ｓ１４０（物理的キー挿入）：立体駐車装置３０の使用者により、キー識別手段１２に対して物理的キー２０Ａを挿入する。この際、例えば、操作盤３６に設けられた表示部等に、物理的キー２０Ａを挿入することを促すようなメッセージを表示してもよい。本ステップにより、使用者によって保持されていた物理的キー２０Ａが、キー識別手段１２へ戻されることとなる。すなわち、図４の例では、物理的キー２０Ａを抜き出す上記Ｓ３０から本ステップＳ１４０までの間の、立体駐車装置３０の動作に係る操作入力が、物理的キー２０Ａを所持している使用者のみによって行われる。なお、物理的キー２０Ａを挿入するタイミングは、後述する開閉ゲート３４の閉操作を行う前の段階であれば、後述するＳ１５０の直後やＳ１６０の直後であってもよい。
【００４６】
Ｓ１５０（無人確認実施）：立体駐車装置３０内の無人確認を行う。すなわち、上記Ｓ９０において開閉ゲート３４が開けられた状態では、立体駐車装置３０内に人が立ち入っていることが考えられ、又、入庫した車両から使用者とは別の人が降りて立体駐車装置３０内に残っていることが考えられる。このため、例えば、操作盤３６の表示部に表示されている、複数のセンサ４８による物体検知の有無の情報に基づき、使用者により立体駐車装置３０内の無人確認を行う。
Ｓ１６０（無人確認済入力操作）：上記Ｓ１５０において無人確認を行い、立体駐車装置３０内に人が取り残されていないことを確認したら、操作盤３６に対して、立体駐車装置３０内の無人確認を行ったことを示す入力操作を行う。
【００４７】
Ｓ１７０（開閉ゲート閉操作）：立体駐車装置３０の使用者により、操作盤３６に対して、開閉ゲート３４を閉じるための入力操作を行う。
Ｓ１８０（物理的キーの挿入判定）：システム制御部１８により、キー識別手段１２に対して物理的キー２０Ａが挿入されているか否かを判定する。すなわち、キー挿抜検知手段２４により、キー識別手段１２に対して認識可能な識別パターン部２２を有する物理的キー２０Ａが挿入された状態であるか否かを検知し、その検知結果を挿抜識別信号としてシステム制御部１８へ送信する。そして、システム制御部１８により、キー挿抜検知手段２４から受信する挿抜識別信号が、物理的キー２０Ａが挿入されていることを示す場合は、キー識別手段１２に対して物理的キー２０Ａが挿入されていると判定し、物理的キー２０Ａが挿入されていないことを示す場合は、キー識別手段１２から物理的キー２０Ａが抜き出されていると判定する。その結果、物理的キー２０Ａが挿入されていると判定した場合（ＹＥＳ）は、Ｓ１９０へ移行し、物理的キー２０Ａが抜き出されていると判定した場合（ＮＯ）は、キー識別手段１２に対して物理的キー２０Ａが挿入されるまで、本処理ステップで待機する状態となる。
【００４８】
Ｓ１９０（物理的キーロック）：システム制御部１８により、キー識別手段１２のキーロック機構２６による物理的キー２０Ａのロックを有効にする。すなわち、システム制御部１８からキーロック機構２６へ送信する挿抜許可信号を、インアクティブの状態にすることで、キーロック機構２６の可動部２６ａを突出状態にさせ、キー識別手段１２から物理的キー２０Ａを抜き出し不可の状態にする。なお、物理的キー２０Ａのロックを施すタイミングは、後述するＳ２１０の直後であってもよい。
Ｓ２００（開閉ゲート閉動作）：装置制御部３８により駆動部４０を制御して、開閉ゲート３４を下降させ、開閉ゲート３４を閉扉状態にする。
【００４９】
Ｓ２１０（電源切断操作）：制御システム１０が設置された立体駐車装置３０の操作を終了するための、電源切断操作を行う。この操作は、立体駐車装置３０の使用者により、例えば、操作盤３６に挿入されている電源キーを、電源切断の位置まで回転させた後、操作盤３６から抜き出すことによって実行される。ここまでのステップにより、立体駐車装置３０に対して車両を入出庫する際の、制御システム１０を利用した立体駐車装置３０の制御方法を含む一連のステップが終了となる。
【００５０】
さて、上記構成をなす本発明の第１の実施の形態によれば、次のような作用効果を得ることが可能である。すなわち、本発明の第１の実施の形態に係る立体駐車装置の制御システム１０は、図１に示すように、キー識別手段１２とシステム制御部１８とを含んでおり、キー識別手段１２は、制御キー２０の入力の有無を識別するものである。すなわち、キー識別手段１２は、それ自体に対して、制御キー２０が入力された状態か否かを識別する。又、システム制御部１８は、キー識別手段１２により識別される制御キー２０の入力の有無に応じて、少なくとも立体駐車装置３０の開閉ゲート３４の閉動作を抑止するものである。このため、例えば、所望の可動式パレット３２の呼び出し操作を行った使用者が、操作盤３６を離れる前の段階で、使用者自身がキー識別手段１２から制御キー２０を取り出すように促すと共に、制御キー２０の入力が無い場合に開閉ゲート３４の閉動作を抑止する。
【００５１】
これにより、使用者が操作盤３６から離れている間、キー識別手段１２から制御キー２０が取り出された状態となるため、キー識別手段１２は制御キー２０の入力が無いと識別し、これに応じてシステム制御部１８が開閉ゲート３４の閉動作を抑止する。従って、使用者が操作盤３６から離れて立体駐車装置３０内に留まっている間に、第三者が操作盤３６に対して開閉ゲート３４の閉操作を行ったとしても、システム制御部１８により開閉ゲート３４の閉動作が抑止される。この際、開閉ゲート３４の閉操作そのものを受け付けないようにすることで、開閉ゲート３４の閉動作を抑止してもよい。このため、使用者が立体駐車装置３０内で、車両に対する乗降車、荷物の出し入れ、車両のバッテリへの充電作業等を行う場合であっても、第三者によって開閉ゲート３４が閉操作されることを防止することが可能となる。
【００５２】
又、本発明の第１の実施の形態に係る立体駐車装置の制御システム１０は、制御キー２０が、キー識別手段１２に対して物理的に入出力されるタブ状、鍵状、カード状等（図３の例ではタブ状）の物理的キー２０Ａであり、更に、物理的キー２０Ａが、キー識別手段１２により認識される固有の識別パターン部２２を備えているものである。物理的キー２０Ａの識別パターン部２２は、キー識別手段１２に対応した正規の物理的キー２０Ａであることを示す情報を有するものであり、例えば、タブや鍵に設けられた凹凸パターン、カードに組み込まれたＩＣチップや磁気ストライプ等、状況に応じて適切なものが利用される。
【００５３】
又、キー識別手段１２は、図１に示すように、認識可能な識別パターン部２２を有する物理的キー２０Ａの物理的入力の有無を示す挿抜識別信号を、システム制御部１８に対して出力する。すなわち、キー識別手段１２は、物理的に入力された物理的キー２０Ａの識別パターン部２２から情報を読み取り、読み取った情報がキー識別手段１２に対応した正規の物理的キー２０Ａであることを示す場合のみ、物理的キー２０Ａが物理的に入力されていることを示す挿抜識別信号を出力する。一方、キー識別手段１２は、物理的キー２０Ａが物理的に入力されていない場合、物理的キー２０Ａから識別パターン部２２の情報が読み取れない場合、識別パターン部２２の情報が正規の物理的キー２０Ａであることを示すものではない場合等に、物理的キー２０Ａが物理的に入力されていないことを示す挿抜識別信号を出力する。
【００５４】
又、システム制御部１８は、上記の如くキー識別手段１２から出力される挿抜識別信号を取得し、取得した挿抜識別信号に基づいて、キー識別手段１２に対する物理的キー２０Ａの物理的な入力の有無を判定する（図４のＳ８０）。そして、システム制御部１８は、そのような判定方法を利用して、キー識別手段１２から物理的キー２０Ａの物理的入力が喪失された（入力されていない）と判定するまで、開閉ゲート３４の開動作を抑止する。従って、開閉ゲート３４を開くためには、キー識別手段１２から物理的キー２０Ａを物理的に取り出し、物理的キー２０Ａの物理的入力が喪失されたことをキー識別手段１２に認識させる必要がある（図４のＳ３０）。このため、開閉ゲート３４が開いて使用者が立体駐車装置３０内へ入る前に、半ば強制的に使用者に対して物理的キー２０Ａを所持させることができる。
【００５５】
更に、システム制御部１８は、キー識別手段１２に対して物理的キー２０Ａが物理的に入力されたと判定するまで、開閉ゲート３４の閉動作を抑止する（図４のＳ１８０）。従って、開閉ゲート３４を閉じるためには、キー識別手段１２に対して物理的キー２０Ａを物理的に入力し（装着し）、物理的キー２０Ａが物理的に入力されたことをキー識別手段１２に認識させる必要がある（図４のＳ１４０）。このため、物理的キー２０Ａを所持している使用者が立体駐車装置３０内に残っている間に、物理的キー２０Ａを所持していない第三者によって、開閉ゲート３４が閉操作されることを、より確実に防止することができる。
【００５６】
更に、本発明の第１の実施の形態に係る立体駐車装置の制御システム１０は、図１及び図３に示すように、キー識別手段１２が、キー挿抜検知手段２４とキーロック機構２６とを備えるものである。キー挿抜検知手段２４は、認識可能な識別パターン部２２を有する物理的キー２０Ａの物理的入力の有無、すなわち、正規の物理的キー２０Ａであることを示す識別パターン部２２を有する物理的キー２０Ａが、物理的に入力されているか否かを検知する。そして、キー挿抜検知手段２４は、その検知結果に基づいて、物理的キー２０Ａが物理的に入力されているか否かを示す挿抜識別信号を出力する。一方、キーロック機構２６は、物理的キー２０Ａによるキー識別手段１２に対しての物理的入力が喪失されることを防止するように、ロックを施すものである。又、キーロック機構２６は、システム制御部１８から挿抜許可信号を受信することで、システム制御部１８によりロックの動作が制御される。そして、システム制御部１８は、電源投入操作の直後と可動式パレット３２の呼び出し操作の直後と開閉ゲート３４の開動作の直前との何れかのタイミングで、キーロック機構２６のロックを解除し（図４のＳ２０）、開閉ゲート３４の閉操作の直後或いは電源切断操作の直後の何れかのタイミングで、キーロック機構２６のロックを有効にする（図４のＳ１９０）。
【００５７】
ここで、本発明の第１の実施の形態に係る立体駐車装置の制御システム１０が適用される立体駐車装置３０では、操作盤３６に対する電源投入操作が、例えば、立体駐車装置３０の使用者のみが所有する電源キー等を用いて行われることで、立体駐車装置３０の正規の使用者であることが認証された状態で行われる（図４のＳ１０）。従って、キーロック機構２６による物理的キー２０Ａのロックは、立体駐車装置３０の使用者であることが認証された後で、解除されることになる。更に、開閉ゲート３４の閉操作や電源切断操作は、車両の入出庫等を終えた使用者が、開閉ゲート３４を閉じるために行う必要のある、キー識別手段１２に対する物理的キー２０Ａの物理的な入力がなされた状態で、行われるものである。従って、キーロック機構２６による物理的キー２０Ａのロックは、使用者による車両の入出庫等が終了した後に、施されることになる。これにより、使用者が物理的キー２０Ａを所持した状態で車両の入出庫等を行っている期間を除き、キーロック機構２６によって物理的キー２０Ａのロックが施されるため、立体駐車装置３０の使用者以外の人物が、キー識別手段１２から物理的キー２０Ａを取り出すことを防止することができる。
【００５８】
又、本発明の第１の実施の形態に係る立体駐車装置の制御システム１０は、キー識別手段１２が物理的キー２０Ａの半抜け防止手段２８を備えることで、物理的キー２０Ａが半抜けの状態でキー識別手段１２に残されることを防止することができる。このため、操作盤３６から離れて車両の入出庫等を行う使用者に対して、物理的キー２０Ａの所持をより確実に促すことが可能となる。
【００５９】
一方、上記のような本発明の第１の実施の形態に係る立体駐車装置の制御システム１０を備えた立体駐車装置３０は、当該立体駐車装置３０を制御する装置制御部３８を含んでおり、制御システム１０のシステム制御部１８が装置制御部３８に組み込まれているものである。これにより、制御システム１０と立体駐車装置３０との双方の制御を、装置制御部３８から一括して行うことができる。このため、設備の省スペース化を図ることができると共に、制御システム１０と立体駐車装置３０との双方に関わる制御や動作を、円滑に行うことが可能となる。
又、本発明の実施の形態に係る立体駐車装置の制御方法は、上述した本発明の第１の実施の形態に係る立体駐車装置の制御システム１０を用いて実行されることにより、本発明の第１の実施の形態に係る立体駐車装置の制御システム１０に対応する同等の作用効果を奏するものである。
【００６０】
続いて、図５及び図６を参照して、本発明の第２の実施の形態に係る立体駐車装置の制御システム１０’について説明する。図５及び図６において、本発明の第１の実施の形態に係る立体駐車装置の制御システム１０と同一部分、若しくは相当する部分については、同一の符号を付している。なお、本発明の第２の実施の形態に係る立体駐車装置の制御システム１０’について、本発明の第１の実施の形態に係る立体駐車装置の制御システム１０との相違部分のみ説明をすることとし、本発明の第１の実施の形態に係る立体駐車装置の制御システム１０と同様の部分の構成や作用効果については、説明を省略する。
【００６１】
図５に示すように、立体駐車装置の制御システム１０’は、制御キー２０として、キー識別手段１２により発行する論理的キー２０Ｂを用いるものである。論理的キー２０Ｂは、例えば、数字で構成される暗証符号である。又、立体駐車装置の制御システム１０’は、キー識別手段１２とシステム制御部１８とが、立体駐車装置３０’の装置制御部３８に組み込まれており、更に、操作盤３６に組み込まれた表示部１４と操作部１６とを含んでいる。表示部１４は、キー識別手段１２から論理的キー２０Ｂを取得し、取得した論理的キー２０Ｂ等を表示するものであり、操作部１６は、使用者から論理的キー２０Ｂ等の入力操作を受けて、それをキー識別手段１２に対して送信するものである。すなわち、キー識別手段１２は、発行した論理的キー２０Ｂを表示部１４へ出力し、又、操作部１６を介して入力された論理的キー２０Ｂを受信する。そして、発行した論理的キー２０Ｂと、操作部１６を介して入力された論理的キー２０Ｂとが、同様のものであるか否かを判別する。なお、表示部１４と操作部１６とは、操作盤３６が表示部と操作部とを予め有する構成の場合には、それらを利用するように組み込まれていてよい。
【００６２】
又、システム制御部１８は、その制御内容について詳しくは後述するが、例えば、キー識別手段１２による論理的キー２０Ｂ発行の指示、表示部１４による論理的キー２０Ｂの表示の制御、キー識別手段１２による論理的キー２０Ｂの判別結果に応じた開閉ゲート３４の閉動作の抑止等を行う。
なお、論理的キー２０Ｂを構成する暗証符号は、操作部１６から入力可能なものであれば、例えば、アルファベットや記号を含んでいてもよい。
【００６３】
次に、図６に示すフロー図の流れに沿って、本発明の第２の実施の形態に係る立体駐車装置の制御システム１０’を利用した、立体駐車装置の制御方法について説明する。なお、図６では、実線で囲まれたステップが立体駐車装置３０’の使用者が行うステップを示し、破線で囲まれたステップが立体駐車装置３０’の動作ステップを示し、一点鎖線で囲まれたステップが制御システム１０’の処理ステップを示している。なお、図４に示したフロー図と同様の処理を行うステップについては、説明を省略する。又、立体駐車装置３０’及び制御システム１０’の構成については、適宜、図５を参照のこと。
【００６４】
Ｓ３００（電源投入操作）〜Ｓ３２０（運転操作）：図４のＳ１０、Ｓ４０、Ｓ５０と同様の処理のため、説明を省略する。
Ｓ３３０（論理的キー発行）：システム制御部１８の制御によって、キー識別手段１２により論理的キー２０Ｂを発行する。論理的キー２０Ｂは、発行される度に、それを構成する数字等の組み合わせや順序が変更される。
Ｓ３４０（論理的キー表示開始）：システム制御部１８の制御によって、キー識別手段１２から表示部１４へ論理的キー２０Ｂを出力し、表示部１４による論理的キー２０Ｂの表示を開始する。この際、立体駐車装置３０’の使用者に対して、表示した論理的キー２０Ｂの記憶やメモを促すようなメッセージを、論理的キー２０Ｂと共に表示部１４へ表示してもよい。
【００６５】
Ｓ３５０（入力パレットの位置判定）〜Ｓ３７０（開閉ゲート開動作）：図４のＳ６０、Ｓ７０、Ｓ９０と同様の処理のため、説明を省略する。
Ｓ３８０（論理的キー表示終了）：システム制御部１８の制御によって、表示部１４による論理的キー２０Ｂの表示を終了する。なお、図６の例では、上記Ｓ３４０から本処理ステップＳ３８０の間に論理的キー２０Ｂを表示しているが、論理的キー２０Ｂを表示する期間は、論理的キー２０Ｂが発行されてから、開閉ゲート３４が開いて使用者が操作盤３６から離れるまでの間のうち、使用者が論理的キー２０Ｂを認識可能な長さの期間であればよい。
【００６６】
Ｓ３９０（「装置内侵入中」表示）〜Ｓ４４０（無人確認済入力操作）：図４のＳ１００〜Ｓ１３０、Ｓ１５０、Ｓ１６０と同様の処理のため、説明を省略する。
Ｓ４５０（論理的キー入力）：立体駐車装置３０’の使用者により、上記Ｓ３４０〜Ｓ３８０の間に表示されていた論理的キー２０Ｂを、操作部１６を介して入力する。この際、例えば、表示部１４等に、論理的キー２０Ｂを入力することを促すようなメッセージを表示してもよい。なお、論理的キー２０Ｂを入力するタイミングは、後述するＳ４７０の直後であってもよい。
【００６７】
Ｓ４６０（論理的キー判定）：上記Ｓ４５０で入力された論理的キー２０Ｂが正しいか否かを判定する。すなわち、システム制御部１８によってキー識別手段１２を制御し、操作部１６を介して入力された論理的キー２０Ｂが、上記Ｓ３３０で発行した論理的キー２０Ｂと同じであるか否かを判定する。その結果、２つの論理的キー２０Ｂが同じであると判定した場合（ＹＥＳ）は、Ｓ４７０へ移行し、２つの論理的キー２０Ｂが異なると判定した場合（ＮＯ）は、上記Ｓ４５０へ復帰し、再度、論理的キー２０Ｂの入力を促す。
Ｓ４７０（開閉ゲート閉操作）〜Ｓ４９０（電源切断操作）：図４のＳ１７０、ｓ２００、Ｓ２１０と同様の処理のため、説明を省略する。
【００６８】
次に、本発明の第２の実施の形態に係る立体駐車装置の制御システム１０’の変形例について、概略的に説明する。立体駐車装置の制御システム１０’の変形例は、論理的キー２０Ｂが、キー識別手段１２によって発行されるのではなく、立体駐車装置３０’の使用者によって、キー識別手段１２に対して設定されるものである。すなわち、図６のフロー図を用いて説明すると、Ｓ３３０において、キー識別手段１２により論理的キー２０Ｂを発行するのに代えて、立体駐車装置３０’の使用者により、操作部１６を介して、キー識別手段１２に対して論理的キー２０Ｂを設定する。更に、Ｓ３４０及びＳ３８０の処理ステップを実行せずに、Ｓ４５０において、Ｓ３３０で立体駐車装置３０’の使用者自身が設定した論理的キー２０Ｂを、操作部１６を介して入力する。そして、Ｓ４６０において、Ｓ４５０で入力された論理的キー２０Ｂが、Ｓ３３０で設定された論理的キー２０Ｂと一致しているか否かを判定するものである。
【００６９】
さて、上記構成をなす本発明の第２の実施の形態によれば、次のような作用効果を得ることが可能である。すなわち、本発明の第２の実施の形態に係る立体駐車装置の制御システム１０’は、図５に示すように、立体駐車装置３０’の操作盤３６に組み込まれた表示部１４及び操作部１６を備えており、制御キー２０が、可動式パレット３２の呼び出し操作の都度、キー識別手段１２により暗証符号として発行される論理的キー２０Ｂであるものである。すなわち、論理的キー２０Ｂは、キー識別手段１２に対して論理的に入出力されるものであり、例えば数字等を含む暗証符号として発行される（図６のＳ３３０）。そして、システム制御部１８は、論理的キー２０Ｂが発行されてから開閉ゲート３４が開くまでの間における、少なくとも一部期間において、論理的キー２０Ｂをキー識別手段１２から表示部１４へ出力させて表示させる（図６のＳ３４０〜Ｓ３８０）。すなわち、所望の可動式パレット３２の呼び出し操作を行った使用者が、開閉ゲート３４が開かれたことで操作盤３６から離れる前に、操作盤３６に組み込まれた表示部１４へ論理的キー２０Ｂを表示することで、使用者に対して論理的キー２０Ｂの記憶やメモを促すものである。
【００７０】
その後、システム制御部１８は、キー識別手段１２から表示部１４への論理的キー２０Ｂの出力によって、論理的キー２０Ｂが論理的に出力されたものと判断して、開閉ゲート３４の閉動作を抑止する。そして、操作盤３６に組み込まれた操作部１６を介して、表示部１４へ表示した論理的キー２０Ｂと一致する正しい論理的キー２０Ｂの論理的入力が行われるまで、開閉ゲート３４の閉動作を抑止するものである（図６のＳ４６０）。すなわち、可動式パレット３４の呼び出し操作を行った使用者のみが知り得る、正しい論理的キー２０Ｂの入力が行われるまで、開閉ゲート３４の閉動作が抑止される。このため、論理的キー２０Ｂを把握している使用者が立体駐車装置３０’内に残っている間に、正しい論理的キー２０Ｂを知り得ない第三者の操作によって、開閉ゲート３４が閉じられることはない。これにより、第三者による開閉ゲート３４の閉操作を、より確実に防止することが可能となる。
【００７１】
更に、本発明の第２の実施の形態に係る立体駐車装置の制御システム１０’の変形例は、立体駐車装置３０’の操作盤３６に組み込まれた操作部１６を備えており、制御キーが、可動式パレット３２の呼び出し操作の都度、操作部１６を介して、使用者によりキー識別手段１２に対して暗証符号として設定される論理的キー２０Ｂであるものである。すなわち、論理的キー２０Ｂは、キー識別手段１２に対して論理的に入力されるものであり、例えば数字等を含む暗証符号として設定される。そして、システム制御部１８は、操作盤３６に組み込まれた操作部１６を介して、使用者により設定された論理的キー２０Ｂと一致する正しい論理的キー２０Ｂの論理的入力が行われるまで、開閉ゲート３４の閉動作を抑止するものである。すなわち、論理的キー２０Ｂの設定を行った使用者のみが知り得る、正しい論理的キー２０Ｂの入力が行われるまで、開閉ゲート３４の閉動作が抑止される。このため、論理的キー２０Ｂを把握している使用者が立体駐車装置３０’内に残っている間に、正しい論理的キー２０Ｂを知り得ない第三者の操作によって、開閉ゲート３４が閉じられることはない。これにより、第三者による開閉ゲート３４の閉操作を、より確実に防止することができる。
【００７２】
一方、上記のような本発明の第２の実施の形態に係る立体駐車装置の制御システム１０’を備えた立体駐車装置３０’は、当該立体駐車装置３０’を制御する装置制御部３８を含んでおり、制御システム１０’のシステム制御部１８及びキー識別手段１２が、装置制御部３８に組み込まれているものである。これにより、制御システム１０’と立体駐車装置３０’との双方の制御や、論理的キー２０Ｂの発行及び識別等を、装置制御部３８から一括して行うことができる。このため、設備の省スペース化を図ることができると共に、制御システム１０’と立体駐車装置３０’との双方に関わる制御や動作を、円滑に行うことが可能となる。
【００７３】
又、本発明の実施の形態に係る立体駐車装置の制御方法は、上述した本発明の第２の実施の形態に係る立体駐車装置の制御システム１０’を用いて実行されることにより、本発明の第２の実施の形態に係る立体駐車装置の制御システム１０’に対応する同等の作用効果を奏するものである。
なお、上述した本発明の第１及び第２の実施の形態に係る立体駐車装置の制御システム１０、１０’は、設備の一部を追加又は交換して設置することで、既存の立体駐車装置に適用可能なものである。
【００７４】
ここで、本発明の第１及び第２実施の形態に係る立体駐車装置の制御システム１０、１０’と、それらを利用した制御方法とは、図２に示したような構造の立体駐車装置３０への適用に限定されるものではない。すなわち、立体駐車装置３０、３０’は、高さ方向（図２の上下方向）や並列方向（図２の左右方向）により多くの（又はより少ない）可動式パレット３２を備えた構成であってもよく、地上だけではなく地下に可動式パレット３２を備えた構成であってもよい。又、可動式パレット３２が並列方向には移動せずに、高さ方向の列毎に連動して高さ方向のみに移動するものであってもよい。更に、高さ方向や並列方向だけではなく、前後方向（図２の右手前から左奥方向）に複数列の可動式パレット３２を備えた構成であってもよい。
【００７５】
なお、図４及び図６に示したフロー図は、本発明の実施の形態に係る立体駐車装置の制御方法を説明するための、ステップの流れの一例を示したものである。従って、本発明の実施の形態に係る立体駐車装置の制御方法を適用する処理フローは、図４及び図６に示した処理フローに限定されるものではなく、例えば、本制御方法を適用する立体駐車装置３０、３０’の構造、立体駐車装置３０、３０’の使用状況等に応じて、図４及び図６に示したステップの一部が削除、変更、ないし適宜追加された処理フローであってもよいものである。又、本発明の説明において、特定の処理や動作等を実行するタイミングを示す際に用いている「直前」及び「直後」という表現は、本発明の実施の形態に係る立体駐車装置の制御システム及び制御方法の制御フローや操作性等、立体駐車装置の円滑な運転に、直接影響を及ぼさない程度のタイムラグやインターバルを含み得るものである。例えば、何らかの入力や作動指令が発せられた後、瞬時に制御進行する場合のみならず、妥当な反応遅れや意図的な遅延制御も含まれる。
【符号の説明】
【００７６】
１０、１０’：立体駐車装置の制御システム、１２：キー識別手段、１４：表示部、１６：操作部、１８：システム制御部、２０：制御キー、２０Ａ：物理的キー、２０Ｂ：論理的キー、２２：識別パターン部、２４：キー挿抜検知手段、２６：キーロック機構、３０、３０’：立体駐車装置、３２（３２ａ〜３２ｉ）：可動式パレット、３４：開閉ゲート、３６：操作盤、３８：装置制御部
【図１】
2020012371.tif 000003
【図２】
2020012371.tif 000004
【図３】
2020012371.tif 000005
【図４】
2020012371.tif 000006
【図５】
2020012371.tif 000007
【図６】
2020012371.tif 000008